(57)【要約】  本発明の課題は、化粧板の製造時に、縁材とその取付面の間から接着剤がはみ出すことを抑制することである。本発明に係る化粧板（１）は、木質板（２）と、その端面（２０）のうち外周領域に浸透した止水剤（４）と、端面（２０）のうち前記外周領域で囲まれる中央領域に塗布された接着剤（５）と、接着剤（５）を介して端面（２０）に貼り付けられた縁材（３）を備える。本発明に係る化粧板の製造方法は、木質板（２）の端面（２０）のうち外周領域に止水剤（４）を浸透させ、端面（２０）のうち前記外周領域で囲まれる中央領域に接着剤（５）を塗布し、接着剤（５）を介して端面（２０）に縁材（３）を貼り付ける。
2018074238.tif 000002
【特許請求の範囲】
【請求項１】
端面を含む木質板と、
前記端面のうち外周領域に浸透した止水剤と、
前記端面のうち前記外周領域で囲まれる中央領域に塗布された接着剤と、
前記接着剤を介して前記端面に貼り付けられた縁材と、を備えることを特徴とする化粧板。
【請求項２】
木質板に含まれる端面のうち外周領域に止水剤を浸透させる止水剤浸透工程と、
前記端面のうち前記外周領域で囲まれる中央領域に、接着剤を塗布する接着剤塗布工程と、
前記接着剤を介して前記端面に縁材を貼り付ける貼り付け工程と、を備えることを特徴とする化粧板の製造方法。
【請求項３】
前記止水剤浸透工程では、
前記外周領域のうち外周縁を除く領域に前記止水剤を塗布して、前記外周領域に前記止水剤を浸透させることを特徴とする請求項２に記載の化粧板の製造方法。
【請求項４】
前記接着剤塗布工程では、
前記外周領域の内周縁に重なるように、前記中央領域に前記接着剤を塗布することを特徴とする請求項２または３に記載の化粧板の製造方法。
【請求項５】
前記貼り付け工程では、
前記接着剤が拡がって前記外周領域の内周縁に重なるように、前記端面に前記縁材を貼り付けることを特徴とする請求項２または３に記載の化粧板の製造方法。
【請求項６】
前記止水剤は、前記接着剤よりも硬化速度が遅いことを特徴とする請求項２乃至５のいずれか一項に記載の化粧板の製造方法。
【発明の詳細な説明】
【技術分野】
【０００１】
本発明は、化粧板及び化粧板の製造方法に関する。
【背景技術】
【０００２】
特許文献１には、木質の板状の積層ブロックの４つの側面に、縁材が接着された集成甲板が記載されている。【０００３】
上記の集成甲板では、積層ブロックの隣接する２つの側面のそれぞれに縁材を１つずつ接着させる際に、２つの縁材の突合せ部分から接着剤がはみ出す場合があり、このはみ出した部分を、縁材に汚れや破損が生じないように除去することは、困難である。【０００４】
また、上記の集成甲板では、積層ブロックの側面と縁材の間から、積層ブロックの厚み方向に接着剤がはみ出す場合もあり、これを同様に除去することも困難である。
【先行技術文献】
【特許文献】
【０００５】
【特許文献１】日本国特開２００１−２３９５１０号公報
【発明の概要】
【０００６】
本発明の目的は、製造時に、縁材とその取付面の間から接着剤がはみ出すことを抑制することができる化粧板及び化粧板の製造方法を提供すること、とする。
【０００７】
本発明に係る一態様の化粧板は、端面を含む木質板と、前記端面のうち外周領域に浸透した止水剤と、前記端面のうち前記外周領域で囲まれる中央領域に塗布された接着剤と、前記接着剤を介して前記端面に貼り付けられた縁材と、を備える。
【０００８】
また、本発明に係る一態様の化粧板の製造方法は、止水剤浸透工程、接着剤塗布工程、及び貼り付け工程を備える。
【０００９】
前記止水剤浸透工程は、木質板に含まれる端面のうち外周領域に止水剤を浸透させる工程である。前記接着剤塗布工程は、前記端面のうち前記外周領域で囲まれる中央領域に、接着剤を塗布する工程である。前記貼り付け工程は、前記接着剤を介して前記端面に縁材を貼り付ける工程である。
【図面の簡単な説明】
【００１０】
【図１】図１Ａは、本発明に係る実施形態１の化粧板全体を示す斜視図であり、図１Ｂは、図１ＡのＡ−Ａ線における断面図であり、図１Ｃは、図１ＡのＢ−Ｂ線における断面図である。
【図２】図２Ａ，Ｂは、同上の化粧板の製造方法の製造過程の一例を順に示す説明図である。
【図３】図３Ａ，Ｂは、図２Ｂの後の製造過程の一例を順に示す説明図である。
【発明を実施するための形態】
【００１１】
（１）化粧板の概要
図１Ａ〜Ｃには、実施形態１の化粧板１が示されている。化粧板１は、キッチンの扉、洗面化粧台の扉等の水回り商品に好適に用いられる。
【００１２】
化粧板１は、一方向に長い矩形状の木質板２と、木質板２が含む複数（４つ）の端面２０のそれぞれに１つずつ接着された複数（４つ）の縁材３とを備える。以下では、図１Ａに示す状態を基準とし、木質板２の長手方向を左右方向とし、木質板２の短手方向を前後方向とし、木質板２の厚み方向を上下方向として、各構成について説明する。各図において、矢印Ｘで示す方向が前方であり、矢印Ｙで示す方向が右方であり、矢印Ｚで示す方向が上方である。
【００１３】
化粧板１は、木質板２の端面２０のうち外周領域に浸透された止水剤４と、端面２０のうち前記外周領域で囲まれる中央領域に塗布された接着剤５を、さらに備える。ここで、外周領域とは、端面２０のうち、その外周縁に沿った枠状（本実施形態では矩形枠状）の領域であり、かつ端面２０の外周縁を含む領域である。矩形枠を構成する４つの辺のそれぞれは、矩形状をなしている。本実施形態の化粧板１では、木質板２が含む複数（４つ）の端面２０のそれぞれにおいて、外周領域に止水剤４が浸透し、中央領域に接着剤５が塗布されている。
【００１４】
（２）化粧板の各構成の詳細
（２−１）木質板
木質板２は、中密度繊維板（ＭＤＦ）やパーティクルボードや合板等の木質の板材である。木質板２の上面と下面には、化粧材２１が貼り付けられている。化粧材２１は、ＤＡＰ（ジアリルフタレート樹脂）を含浸させた樹脂含浸紙、メラミン樹脂を含浸させた樹脂含浸紙を用いた低圧メラミン化粧材や高圧メラミン化粧材、オレフィンシート、ＰＥＴ（ポリエチレンテレフタレート）シート等である。
【００１５】
矩形状の木質板２は、木質板２の厚み方向に対して直交する方向を向く４つの端面２０を含む。４つの端面２０は、前面２００、後面２０１、右面２０２、及び左面２０３で構成される。４つの端面２０のそれぞれは、略平坦面であり、矩形状である。４つの端面２０は、隣接する２つの端面２０同士が平面視にて９０度の角度をなすように、並んでいる。
【００１６】
（２−２）止水剤
止水剤４は、各端面２０の外周領域（詳しくは、外周領域のうち外周縁を除いた残りの領域）に塗布されることで、この外周領域に浸透し、これにより、外周領域への水の染み込みを防止する。止水剤４は、各端面２０の外周領域において、外周縁まで浸透されている。
【００１７】
止水剤４は、例えば、ＭＤＩ（ジフェニルメタン−４，４´−ジイソシアネート）である。ＭＤＩは、無溶剤系の湿気硬化型の樹脂である。止水剤４は、端面２０に浸透可能な粘度を有する。止水剤４の粘度は、例えば、５００ｍＰａ・ｓ程度以下である。止水剤４の粘度は、接着剤５の粘度よりも低く、接着剤５よりも端面２０に対して浸透させやすい。止水剤４は、少なくとも接着剤５よりも硬化速度が遅い。止水剤４は、端面２０への塗布直後に硬化するのではなく、所定時間経過後に硬化する性質を有する。止水剤４の塗布は、本実施形態では、複数の塗布ローラーによって行われる。
【００１８】
（２−３）接着剤
接着剤５は、ホットメルト系の接着剤等の周知の接着剤である。接着剤５は、各端面２０のうち、止水剤４が浸透した外周領域で囲まれる中央領域に塗布されている。接着剤５の接着力により、木質板２の各端面２０に縁材３が１つずつ接着されている。本実施形態では、接着剤５は、縁材３と端面２０との間において、止水剤４が浸透した外周領域の内周縁に重なる範囲まで拡がっている。
【００１９】
（２−４）縁材
複数の縁材３のそれぞれは、接着剤５を介して各端面２０に１つずつ貼り付けられている。各縁材３は、一方向に長い帯状の板材である。各縁材３は、例えば、ＡＢＳ樹脂やＰＰ（ポリプロピレン）樹脂で形成される。
【００２０】
左右の端面２０に接着される左右の縁材３は、左右の端面２０に対して、前後方向の長さが互いに同じであり、上下方向の長さが互いに同じである。左右の縁材３は、左右方向の長さ（つまり厚み）が互いに同じである。
【００２１】
左右の縁材３のそれぞれは、上面と下面のそれぞれが、面取りされた形状を有している。左右の縁材３のそれぞれにおいて、上面と下面のそれぞれは、本実施形態では、縁材３の長手方向に直交する断面形状が、円弧状の凸曲面となっている。凸曲面は、縁材３の樹脂成形の際に形成されてもよいし、樹脂成形後に面取り加工を施すことで形成されてもよい。
【００２２】
前後の端面２０に接着される前後の縁材３は、前後の端面２０に対して、上下方向の長さが互いに同じである。前後の縁材３の左右方向の長さは、前後の端面２０の左右方向の長さに、左右の縁材３の厚み（左右方向の長さ）を加えた長さと略同じである。前後の縁材３の前後方向の長さ（つまり厚み）は、左右の縁材３の厚みと同じである。
【００２３】
前後の縁材３のそれぞれにおいて、上面と下面のそれぞれは、縁材３の長手方向に直交する断面形状が、円弧状の凸曲面となっている。
【００２４】
前後左右の４つの縁材３は、平面視略矩形枠状に配されている。本実施形態では、４つの縁材３は、Ｌ字状に並ぶ２つの縁材３間に僅かな隙間が介在する形態で、配されている。
【００２５】
（３）化粧板の製造方法の概要
続いて、本実施形態の化粧板１の製造方法の一例について説明する。
【００２６】
化粧板１の製造方法は、止水剤４を塗布して浸透させる止水剤浸透工程Ｓ１、接着剤５を塗布する接着剤塗布工程Ｓ２、及び縁材３を貼り付ける貼り付け工程Ｓ３を備える。止水剤浸透工程Ｓ１、接着剤塗布工程Ｓ２、及び貼り付け工程Ｓ３は、この順に行われる。
【００２７】
木質板２の各端面２０への縁材３の貼り付けは、共通の手順で行われる。以下では、木質板２の前面２００に対して縁材３を貼り付ける方法について説明する。
【００２８】
（４）化粧板の製造方法の詳細
（４−１）止水剤浸透工程
止水剤浸透工程Ｓ１は、前面２００の上下の端部に、止水剤４を塗布して浸透させる第一浸透工程Ｓ１０と、前面２００の左右の端部に、止水剤４を塗布して浸透させる第二浸透工程Ｓ１１とを含む。
【００２９】
図２Ａに示すように、第一浸透工程Ｓ１０では、ベルトコンベア等の搬送装置によって木質板２が右方に搬送されながら、上下一対の塗布ロール６０，６１によって、木質板２の前面２００の上下の端部に全長に亘って（左右方向に亘って）、止水剤４が塗布される。本実施形態では、下側の塗布ロール６０は、上側の塗布ロール６１よりも上流側（左側）に位置している。そのため、前面２００の下端部に対する止水剤４の塗布は、前面２００の上端部に対する止水剤４の塗布よりも先に始まり、前面２００の下端部に対する止水剤４の塗布は、前面２００の上端部に対する止水剤４の塗布よりも先に終わる。上側の塗布ロール６１は、例えば、自動昇降用モーター付きであり、上下位置が調整自在である。そのため、上側の塗布ロール６１は、各種の厚みの木質板２に対して、端面２０の上端部へ止水剤４を塗布することができる。
【００３０】
第一浸透工程Ｓ１０が完了した後、第二浸透工程Ｓ１１が行われる。
【００３１】
図２Ｂに示すように、第二浸透工程Ｓ１１では、搬送される木質板２の位置を検知するセンサー７と、センサー７による検知に対応して前後に移動する塗布ロール６２を用いて、前面２００の左端部と右端部のそれぞれに対して、止水剤４を塗布する。
【００３２】
センサー７は、例えば、赤外線センサーであり、投光機７０と受光機７１を有する。センサー７は、木質板２の搬送経路における所定の位置に、木質板２が存在するか否かを検知し、制御部に検知結果を送信する。
【００３３】
塗布ロール６２は、制御部によって前後の移動が制御される。塗布ロール６２は、前面２００に当たる塗布位置と、塗布位置よりも前方の待機位置との間で前後に移動される。制御部は、センサー７からの検知結果を受けて、塗布ロール６２を前後に移動させる。
【００３４】
本実施形態では、センサー７の検知位置を、右方へ搬送される木質板２の右端部が通り過ぎたときに、制御部が、塗布ロール６２を待機位置から塗布位置へと移動させる。これにより、前面２００の右端部に止水剤４が塗布される。前面２００の右端部への止水剤４の塗布が完了すると、制御部は、塗布ロール６２を塗布位置から待機位置へと移動させる。塗布ロール６２は、前面２００の右端部に対して一瞬当たることで、前面２００のうち右端部に止水剤４を塗布する。
【００３５】
次いで、センサー７の検知位置を、右方へ搬送される木質板２の左端部が通り過ぎたときに、制御部が、塗布ロール６２を待機位置から塗布位置へと移動させる。これにより、前面２００の左端部に止水剤４が塗布される。前面２００の左端部への止水剤４の塗布が完了すると、制御部は、塗布ロール６２を塗布位置から待機位置へと移動させる。塗布ロール６２は、前面２００の左端部に対して一瞬当たることで、前面２００のうち左端部に止水剤４を塗布する。
【００３６】
浸透工程Ｓ１０，Ｓ１１を経ることで、前面２００の外周領域に止水剤４が塗布される。浸透工程Ｓ１０，Ｓ１１では、前面２００の外周領域への止水剤４の塗布は、前面２００の外周縁から０．５〜１．０ｍｍの箇所を除く領域に対して行われる。
【００３７】
前面２００の外周領域への止水剤４の塗布が完了した後、所定時間経過することで、止水剤４は、前面２００の外周領域（つまり、外周領域のうち外周縁を含む領域全体）に、毛細管現象等によって浸透されて、硬化する。
【００３８】
（４−２）接着剤塗布工程
止水剤浸透工程Ｓ１（本実施形態では第二浸透工程Ｓ１１）が完了した後、接着剤塗布工程Ｓ２が行われる。
【００３９】
図３Ａに示すように、接着剤塗布工程Ｓ２では、木質板２が右方に搬送されながら、塗布ロール８によって、木質板２の前面２００のうち外周領域で囲まれる中央領域の全体に、接着剤５が塗布される。
【００４０】
本実施形態では、塗布ロール８による接着剤５の塗布は、前面２００の止水剤４が浸透した外周領域の内周縁に重なるように行われる。塗布ロール８による接着剤５の塗布は、前面２００の止水剤４が浸透した外周領域の外周縁に重ならないように行われる。接着剤５の塗布範囲は、この後の貼り付け工程Ｓ３で接着剤５が押し拡げられた場合でも前面２００からはみ出さないように設定する。
【００４１】
詳しくは、接着剤５の塗布は、塗布ロール８が、前面２００の止水剤４が浸透した、右端部の左縁、上端部の下縁、及び下端部の上縁に重なる開始位置から始まる。そして、接着剤５の塗布は、塗布ロール８が、前面２００の止水剤４が浸透した左端部の右縁に重なる終了位置で終わる。開始位置から終了位置までの間、塗布ロール８は、前面２００の止水剤４が浸透した上端部の下縁及び下端部の上縁に重なった状態が続く。
【００４２】
接着剤塗布工程Ｓ２を経ることで、前面２００の止水剤４が浸透した外周領域で囲まれる中央領域の全体に、接着剤５が塗布される。なお、接着剤５の塗布は、Ｔダイ押出し法により行ってもよい。
【００４３】
（４−３）貼り付け工程
接着剤塗布工程Ｓ２が完了した後、接着剤５が硬化する前に、縁材３の貼り付け工程Ｓ３が行われる。
【００４４】
図３Ｂに示すように、貼り付け工程Ｓ３では、前面２００に、接着剤５を介して、縁材３が貼り付けられる。このとき、縁材３は、その左右の端部が、前面２００の左右の縁よりも、他の縁材３の厚みの分ていど左右方向外側に突出する形態で、前面２００に貼り付けられる。なお、左右の端面２０へ縁材３を貼り付ける場合には、縁材３の前後の端部は、左右の端面２０から前後方向外側に突出しない形態で、左右の端面２０に貼り付けられる。縁材３の貼り付けは、周知のエッジバンダー（縁貼機）を用いて行う。
【００４５】
次いで、接着剤５を、周知の加熱装置を用いて硬化させる。なお、接着剤５は、自然乾燥により硬化させてもよい。
【００４６】
（４−４）その他
以上説明した各工程Ｓ１〜Ｓ３を、木質板２の４つの端面２０のそれぞれに対して行うことで、図１Ａに示す本実施形態の化粧板１が製造される。各工程Ｓ１〜Ｓ３の実施は、右面２０２及び左面２０３に対して行った後、前面２００及び後面２０１に対して行うことが好ましい。この場合、右面２０２及び左面２０３に貼り付けた縁材３が、前面２００及び後面２０１に対する各工程Ｓ１〜Ｓ３の実施の邪魔になりにくい。各工程Ｓ１〜Ｓ３の実施は、互いに逆方向を向く２つの端面２０（つまり前後の端面２０または左右の端面２０）に対して同時に行ってもよい。
【００４７】
（５）作用効果
上述した本実施形態の化粧板１の製造方法では、接着剤５を、端面２０の外周領域（止水剤４が浸透した領域）で囲まれた中央領域に塗布するようにしたことで、縁材３を端面２０に貼り付ける際に、接着剤５が端面２０からはみ出すことを抑制することができる。そのため、本実施形態の化粧板１の製造方法では、木質板２の各端面２０に貼り付けられた縁材３の突合せ部分（Ｌ字状に並ぶ２つの縁材３の互いに対向する部分）から、接着剤５がはみ出すことも抑制できる。したがって、本実施形態の化粧板１の製造方法では、はみ出した接着剤の除去工程が省略でき、縁材３に汚れや破損が生じることを抑制することができる。
【００４８】
また、本実施形態の化粧板１の製造方法では、止水剤４を各端面２０の外周領域に浸透させるようにしたことで、各端面２０のうち、接着剤５によって覆われない領域の止水を、止水剤４によって行うことができる。
【００４９】
また、本実施形態の化粧板１の製造方法では、止水剤４を端面２０の外周領域のうち、外周縁を除く領域に塗布するようにしたことで、塗布時に止水剤４が端面２０からはみ出すことも抑制することができる。
【００５０】
（６）変形例
続いて、本実施形態の化粧板１及びその製造方法の変形例について説明する。
【００５１】
化粧板１は、例えば、木質板２に含まれる１つの端面２０にだけ、縁材３が貼り付けられた板材であってもよい。また、化粧板１は、木質板２に含まれる２つまたは３つの隣接する端面２０にそれぞれ、縁材３が貼り付けられた板材であってもよく、この場合、隣接する２つの縁材３の突合せ部分（対向する部分）から接着剤５がはみ出すことを抑えることができる。
【００５２】
木質板２は、平面視における形状が、矩形状に限らず、楕円状等、その他の形状であってもよい。
【００５３】
左右の縁材３は、左右の端面２０よりも前後方向に長くてもよく、この場合、前後の縁材３は、前後の端面２０と左右方向の長さを同じとすればよい。
【００５４】
前後左右４つの縁材３は、隙間を介さずに枠状に並ぶように、それぞれの長さが設定されてもよい。
【００５５】
止水剤浸透工程Ｓ１における止水剤４の塗布は、塗布ロールに限らず、スプレー等の他の塗布装置によって行ってもよい。
【００５６】
第一浸透工程Ｓ１０と第二浸透工程Ｓ１１は、第二浸透工程Ｓ１１が先に行われてもよいし、同時に行われてもよい。
【００５７】
止水剤４は、端面２０の外周領域の外周縁まで塗布されてもよい。この場合、止水剤４を、端面２０の外周領域全体により確実に浸透させることができ、止水性の確保がしやすい。
【００５８】
止水剤４は、ＵＶ照射により硬化する樹脂や、加熱により硬化する樹脂であってもよい。その場合、止水剤４の硬化は、ＵＶ照射装置または加熱装置によって行われる。
【００５９】
止水剤４は、塗布直後に硬化してもよく、すなわち、接着剤５よりも硬化速度が速くてもよい。
【００６０】
接着剤塗布工程Ｓ２では、接着剤５は、端面２０の外周領域の内周縁よりも内側の領域に塗布してもよい。ただし、この場合、縁材３の貼り付け工程Ｓ３を経て接着剤５が拡がることで、接着剤５が端面２０の外周領域の内周縁に重なるように、接着剤５を塗布する必要がある。
【００６１】
（７）まとめ
上述した実施形態１の化粧板１から明らかなように、本発明に係る第一の態様の化粧板（１）は、下記の特徴を備える。
【００６２】
すなわち、第一の態様の化粧板（１）は、端面（２０）を含む木質板（２）と、止水剤（４）と、接着剤（５）と、接着剤（５）を介して端面（２０）に貼り付けられた縁材（３）と、を備える。止水剤（４）は、端面（２０）のうち外周領域に浸透し、接着剤（５）は、端面（２０）のうち前記外周領域で囲まれる中央領域に塗布されている。
【００６３】
上記特徴を備えることで、第一の態様の化粧板（１）では、製造時に、木質板（２）の端面（２０）のうち、外周領域ではなく中央領域に接着剤（５）を塗布し、この接着剤（５）を介して、端面（２０）に縁材（３）を貼り付けるようにして製造することができる。したがって、第一の態様の化粧板（１）は、製造時に、縁材（３）とその取付面（端面（２０））の間から接着剤（５）がはみ出すことを抑制することができる。そのため、第一の態様の化粧板（１）は、製造時の接着剤（５）のはみ出し部分の除去作業を省略できて、縁材（３）に汚れや破損が生じることを抑制することができる。また、第一の態様の化粧板（１）では、端面（２０）のうち外周領域に止水剤（４）を浸透させているため、端面（２０）のうち接着剤（５）が塗布されていない領域への水の染み込みを、止水剤（４）によって抑制することができる。
【００６４】
また、上述した実施形態１の化粧板の製造方法から明らかなように、本発明に係る第一の態様の化粧板の製造方法は、下記の特徴を備える。
【００６５】
すなわち、第一の態様の化粧板の製造方法は、止水剤浸透工程（Ｓ１）、接着剤塗布工程（Ｓ２）、及び貼り付け工程（Ｓ３）を備える。止水剤浸透工程（Ｓ１）は、木質板（２）に含まれる端面（２０）のうち外周領域に止水剤（４）を浸透させる工程である。接着剤塗布工程（Ｓ２）は、端面（２０）のうち前記外周領域で囲まれる中央領域に、接着剤（５）を塗布する工程である。貼り付け工程（Ｓ３）は、接着剤（５）を介して端面（２０）に縁材（３）を貼り付ける工程である。
【００６６】
上記特徴を備えることで、第一の態様の化粧板の製造方法では、木質板（２）の端面（２０）のうち、外周領域ではなく中央領域に塗布された接着剤（５）を介して、端面（２０）に縁材（３）を貼り付けることができる。したがって、第一の態様の化粧板の製造方法では、製造時に、縁材（３）とその取付面（端面（２０））の間から接着剤（５）がはみ出すことを抑制することができる。そのため、第一の態様の化粧板の製造方法では、接着剤（５）のはみ出し部分の除去作業を省略できて、縁材（３）に汚れや破損が生じることを抑制することができる。また、第一の態様の化粧板の製造方法では、端面（２０）のうち外周領域に止水剤（４）を浸透させるため、端面（２０）のうち接着剤（５）が塗布されていない領域への水の染み込みを、止水剤（４）によって抑制することができる。
【００６７】
また、上述した実施形態１の化粧板の製造方法から明らかなように、本発明に係る第二の態様の化粧板の製造方法は、第一の態様の化粧板の製造方法の特徴に加えて、下記の特徴を備える。
【００６８】
すなわち、第二の態様の化粧板の製造方法においては、止水剤浸透工程（Ｓ１）では、前記外周領域のうち外周縁を除く領域に止水剤（４）を塗布して、前記外周領域に止水剤（４）を浸透させる。
【００６９】
上記特徴を備えることで、第二の態様の化粧板の製造方法では、止水剤（４）を木質板（２）の端面（２０）の外周領域に塗布するときに、止水剤（４）が端面（２０）からはみ出すことを抑制することができる。
【００７０】
また、上述した実施形態１の化粧板の製造方法から明らかなように、本発明に係る第三の態様の化粧板の製造方法は、第一または第二の態様の化粧板の製造方法の特徴に加えて、下記の特徴を備える。
【００７１】
すなわち、第三の態様の化粧板の製造方法においては、接着剤塗布工程（Ｓ２）では、前記外周領域の内周縁に重なるように、前記中央領域に接着剤（５）を塗布する。
【００７２】
上記特徴を備えることで、第三の態様の化粧板の製造方法では、木質板（２）の端面（２０）を接着剤（５）と止水剤（４）とで全体的に覆うことができ、端面（２０）への水の染み込みをより確実に抑制することができる。
【００７３】
また、上述した実施形態１の変形例の化粧板の製造方法から明らかなように、本発明に係る第四の態様の化粧板の製造方法は、第一または第二の態様の化粧板の製造方法の特徴に加えて、下記の特徴を備える。
【００７４】
すなわち、第四の態様の化粧板の製造方法においては、貼り付け工程（Ｓ３）では、接着剤（５）が拡がって前記外周領域の内周縁に重なるように、端面（２０）に縁材（３）を貼り付ける。
【００７５】
上記特徴を備えることで、第四の態様の化粧板の製造方法では、木質板（２）の端面（２０）を接着剤（５）と止水剤（４）とで全体的に覆うことができ、端面（２０）への水の染み込みをより確実に抑制することができる。
【００７６】
また、上述した実施形態１の化粧板の製造方法から明らかなように、本発明に係る第五の態様の化粧板の製造方法は、第一乃至第四の態様のいずれかの化粧板の製造方法の特徴に加えて、下記の特徴を備える。
【００７７】
すなわち、第五の態様の化粧板の製造方法では、止水剤（４）は、接着剤（５）よりも硬化速度が遅い。
【００７８】
上記特徴を備えることで、第五の態様の化粧板の製造方法では、木質板（２）の端面（２０）のうち外周領域に止水剤（４）を塗布して浸透させる際に、硬化速度が遅いため、端面（２０）の外周領域全体に止水剤（４）を浸透させやすい。
【００７９】
以上、本発明を添付図面に示す実施形態に基づいて説明したが、本発明は上記の実施形態に限定されるものではなく、本発明の意図する範囲内であれば、適宜の設計変更が可能である。
【符号の説明】
【００８０】
１      化粧板
２      木質板
２０    端面
３      縁材
４      止水剤
５      接着剤
【図１】
2018074238.tif 000003
【図２】
2018074238.tif 000004
【図３】
2018074238.tif 000005
【国際調査報告】
2018074238.tif 000006
2018074238.tif 000007